(57)【特許請求の範囲】
【請求項１】
カードが挿入されるカード挿入部と前記カード挿入部に挿入されたカードの各接触部とそれぞれ接触する複数の接続端子とを備えたカード用コネクタ装置において、前記カード挿入部を覆いかつ回路のグランドに接続される金属製のカバーが設けられるとともに、前記各接触部は、グランド用接触部と信号用接触部とを有し、前記各接触部は前記カードの挿入方向とは直交する方向に並設され、その並設された各接触部のうちの両端側に位置する接触部がグランド用接触部であって、前記複数の接続端子は、信号用端子と、その両端側に位置するグランド用端子とを有し、前記金属製のカバーには、前記カード挿入部に挿入される前記カードの信号用接触部から前記カバーまでの最短距離を、前記グランド用接触部から前記カバーまでの最短距離より長くする静電気対策手段が設けられ、該静電気対策手段は前記カードを前記カード挿入部に挿入し前記グランド用接触部が前記グランド用端子と接触し始める位置まで前記カード挿入部の奥方へ延びていることを特徴とするカード用コネクタ装置。
【請求項２】
前記静電気対策手段は、前記カバーの上面部において少なくとも前記カードの挿入途中における前記両グランド用接触部間と対向する領域を上方へ膨出する膨出部により構成され、該膨出部の両側の外方縁部は、前記グランド用接触部の外側縁部を前記カバーに向かって延ばした線上とほぼ同じ位置または僅かに外方に位置することを特徴とする請求項１記載のカード用コネクタ装置。
【請求項３】
前記静電気対策手段は、前記カバーの上面部に前記両グランド用接触部に対応して内方へ突出する突出部を設けて前記カバーと前記両グランド用接触部との最短距離を短くする突条部により構成され、該突条部の内側の縁部は、前記グランド用接触部の外側縁部を前記カバーに向かって延ばした線上とほぼ同じ位置または僅かに外方に位置することを特徴とする請求項１記載のカード用コネクタ装置。
【請求項４】
第２の静電気対策手段を形成し、該第２の静電気対策手段は、挿入開始状態にあるカードの前記両グランド用接触部間と対向する前記カバーの挿入口側縁部を切り欠いて形成されることを特徴とする請求項１記載のカード用コネクタ装置。
【発明の詳細な説明】
【０００１】
【発明の属する技術分野】
本発明は、メモリを構成するＩＣ等が内装されたカードを装着するカード用コネクタ装置に関する。
【０００２】
【従来の技術】
一般的に、小型メモリカードが装着されるカード用コネクタ装置には、図１３に示すように、樹脂製のハウジング１が設けられ、そのハウジング１には、メモリカード２が挿入されるカード挿入部３と、カード挿入部３に挿入されたメモリカード２の各接触部４と接触する複数の端子５が並設されている。また、ハウジング１にはカード挿入部３を覆う金属製のカバー６が設けられており、そのカバー６の一部が回路基板７のグランドパターンに半田付けされている。
【０００３】
【発明が解決しようとする課題】
ところで、カード挿入部に挿入するメモリカードが静電気に帯電或いはカードを挿入する操作者が静電気に帯電していると、メモリカードを挿入する際、あるいは挿入途中においてカードの接触部からカバーに静電気の放電が起きる場合がある。しかし、従来の構成では、各接触部からカバーまでのそれぞれの最短距離が同じであるためどの接触部からカバーに放電が起きるかわからず、グランド用の接触部から放電が起きた場合にはメモリカード内の回路に影響を及ぼすことはないが、信号用の接触部から放電が起きるとメモリカード内の回路の信号ラインに数千〜万ボルトの電圧が発生しカード内のＩＣ或いはメモリに記録されたデータ等が破壊されてしまう虞があった。
【０００４】
本発明は、上記事情に鑑みてなされたもので、その目的は、金属製のカバーを備えたものにおいて、静電気に帯電したカードを挿入する際にカード内の回路等が破壊されてしまうことを防止できるカード用コネクタ装置を提供するところにある。
【０００５】
【課題を解決するための手段】
上記目的を達成するために、請求項１のカード用コネクタ装置は、カードが挿入されるカード挿入部とカード挿入部に挿入されたカードの各接触部とそれぞれ接触する複数の接続端子とを備えたカード用コネクタ装置において、カード挿入部を覆いかつ回路のグランドに接続される金属製のカバーが設けられるとともに、各接触部は、グランド用接触部と信号用接触部とを有し、各接触部はカードの挿入方向とは直交する方向に並設され、その並設された各接触部のうちの両端側に位置する接触部がグランド用接触部であって、複数の接続端子は、信号用端子と、その両端側に位置するグランド用端子とを有し、金属製のカバーには、カード挿入部に挿入されるカードの信号用接触部からカバーまでの最短距離を、グランド用接触部からカバーまでの最短距離より長くする静電気対策手段が設けられ、静電気対策手段はカードをカード挿入部に挿入しグランド用接触部がグランド用端子と接触し始める位置までカード挿入部の奥方へ延びていることを特徴とする。
【０００６】
請求項２のカード用コネクタ装置は、静電気対策手段は、カバーの上面部において少なくともカードの挿入途中における両グランド用接触部間と対向する領域を上方へ膨出する膨出部により構成され、膨出部の両側の外方縁部は、グランド用接触部の外側縁部をカバーに向かって延ばした線上とほぼ同じ位置または僅かに外方に位置することを特徴とする。
【０００７】
請求項３のカード用コネクタ装置は、静電気対策手段は、カバーの上面部に両グランド用接触部に対応して内方へ突出する突出部を設けてカバーと両グランド用接触部との最短距離を短くする突条部により構成され、突条部の内側の縁部は、グランド用接触部の外側縁部をカバーに向かって延ばした線上とほぼ同じ位置または僅かに外方に位置することを特徴とする。
【０００８】
請求項４のカード用コネクタ装置は、第２の静電気対策手段を形成し、第２の静電気対策手段は、挿入開始状態にあるカードの両グランド用接触部間と対向するカバーの挿入口側縁部を切り欠いて形成されることを特徴とする。
【０００９】
【発明の作用及び効果】
請求項１の発明によれば、カバーに静電気対策手段を設け、カードの信号用接触部からカバーまでの最短距離を、グランド用接触部からカバーまでの最短距離より長くしたので、カードが静電気に帯電していても、静電気は常にグランド用接触部からカバーに放電される。従って、静電気が放電される際にカード内の回路の信号ラインに高電圧が発生することがなく、カード内の回路等の破壊を防止できる。
【００１０】
請求項２の発明によれば、挿入途中におけるカードの両端側に位置する両グランド用接触部間と対向するカバーの上面部を上方へ膨出させたので、カードに帯電した静電気は、挿入途中において常にグランド用接触部からカバーに放電される。従って、挿入途中において、カードの信号用接触部からカバーに静電気が放電されることはなく、カード内の回路等の破壊を防止できる。
【００１１】
請求項３の発明によれば、カードの両端側に位置する両グランド用接触部に対応してカバーに突出部を設け、カバーとグランド用接触部との最短距離を短くしたので、カードを挿入する際、カードが静電気に帯電していても静電気は常にグランド用接触部からカバーに放電される。従って、静電気が放電される際に、カード内の回路の信号ラインに高電圧が発生することはなく、カード内の回路等の破壊を防止できる。
【００１２】
請求項４の発明によれば、挿入開始状態にあるカードの両端側に位置するグランド用接触部間と対向するカードの挿入側縁部を切り欠いたので、静電気に帯電したカードを挿入する際、静電気は常にグランド用接触部からカバーの挿入側縁部に放電される。従って、静電気の放電でカード内の回路の信号ラインに高電圧が発生することはなく、カード内の回路等が破壊されることを防止できる。
【００１３】
【発明の実施の形態】
以下、本願発明のカード用コネクタ装置を具体化した実施形態について図１乃至図１２を参照して説明する。
【００１４】
＜第１実施形態＞
まず、第１実施形態のカード用コネクタ装置に装着されるカードについて説明する。図８、図１０に示すように、カード１０は、長方形状をなし、樹脂製のケース１１内に、メモリを構成するＩＣ等を実装した回路基板（図示せず）を備えて構成される。カード１０の前端部下面には、図１０に示すように、複数の接触部１２が配設されており、各接触部１２のうち左右両端側（図１中、上下両端側）に位置する接触部１２がグランド用接触部１２ａであり、中央に位置する接触部１２が電源用接触部１２ｂであり、その他の接触部１２が信号用接触部１２ｃとなっている。
【００１５】
第１実施形態のカード用コネクタ装置は、図１乃至図４に示すように、樹脂製のハウジング２０とこのハウジング２０を覆う金属製のカバー２２とを備えて構成される。
ハウジング２０には、カード１０が挿着されるカード挿入部２１と、その奥部にカード１０の複数の接触部１２とそれぞれ接触する端子２３が設けられている。カード挿入部２１は、上面を方形状に凹ませて形成され、図３中、右側面にカード挿入口２１ａを有している。また、図５に示すように、左右両内壁面がカード１０を挿着位置へ案内するためのガイド面２１ｂ、２１ｂとなっている。
【００１６】
各端子２３は、図３に示すように、細長な弾性片からなり、先端部をカード挿入部２１内へ突出させた状態で、カード挿入方向とは直交する方向に７個並設されている。各端子２３の先端部には、カード１０の各接触部１２と接触する接点が形成され、先端部とは反対側の端部は、ハウジング２０の後端部（図３中、左端部）から後方へ突出し、回路基板２４の回路パターンに半田付けされるようになっている。各端子２３のうち、左右両端側（図３中、上下両端側）に位置する２つの端子２３が、グランド用端子２３ａで、中央に位置する端子２３が電源用端子２３ｂ、その他の端子２３が信号用端子２３ｃとなっている。
【００１７】
カバー２２は、図５に示すように、金属板を正面視門形状に折り曲げて形成され、カード挿入部２１の上面を覆うとともに左右両側板がハウジング２０の左右両外側面に沿って配される。左右両側板の下縁部のうち、図１に示すように、前後両端部（図１中、左右両端部）の計４箇所が回路基板２４の実装面に沿って直角に張り出しており、この張り出し部２２ａが回路基板２４のグランドパターンに半田付けされるようになっている。
【００１８】
カバー２２の前縁部は、その左右両縁部が前方に延出形成されるとともに上縁部が斜め上方に向けて延出形成されており、図２に示すように、左右両側板間に樹脂製の開閉扉２５が回動可能に支持されている。開閉扉２５はカード挿入口２１ａを塞ぐ横長な方形状に形成されるとともに、左右両縁部に回動軸２５ａ、２５ａが突出形成されており、その両回動軸２５ａがカバー２２の左右両側板に形成される支持孔２２ｂ、２２ｂに嵌り込んでいる。また、図２中、正面視左側の回動軸２５ａには捻りコイルバネ２６が取着されており、常時開閉扉２５がカード挿入口２１ａを閉じる位置に付勢されるようになっている。
【００１９】
カバー２２には、さらに、第１の静電気対策手段３０、第２の静電気対策手段４０、第３の静電気対策手段５０が設けられている。第１の静電気対策手段３０は、図１、図４、図５に示すように、カバー２２の上面部のうちその中央領域を上方へ膨出させることによって構成される。その膨出部３１の左縁部３１ａは、図５に示すように、挿入途中にあるカード１０の接触部１２のうち最も左端にあるグランド用接触部１２ａの左側縁部を上方に延ばした線上とほぼ同じ位置或いはその位置より僅かに外方（図５中、左方）の位置にあり、信号用接触部１２ｃからカバー２２までの最短距離Ａ１がグランド用接触部１２ａからカバー２２までの最短距離Ａ２より長くなるように形成されている。
【００２０】
膨出部３１の右縁部３１ｂも、上記左縁部３１ａ同様、挿入途中にあるカード１０の接触部１２のうち最も右端にあるグランド用接触部１２ａの右側縁部を上方延ばした線上とほぼ同じ位置或いはその位置より僅かに外方（図５中、右方）の位置にあり、信号用接触部１２ｃからカバー２２までの最短距離Ａ１がグランド用接触部１２ａからカバー２２までの最短距離Ａ２より長くなるように形成されている。
【００２１】
また、膨出部３１は、図７に示すように、少なくともカード１０を挿入しグランド用接触部１２ａがグランド用端子２３ａと接触し始める位置まで、信号用接触部１２ｃからカバー２２までの最短距離Ａ１がグランド用接触部１２ａからカバー２２までの最短距離Ａ２より長くなるように奥方へ延びている。
【００２２】
第２の静電気対策手段４０は、図６、図７に示すように、カバー２２の上面前端部における傾斜面の左右両端部を切り欠いて内方へ突出させることにより形成される。この各突出部４１、４１は、挿入されるカード１０の上面と接触する位置まで突出形成されるとともに各グランド用接触部１２ａの外側縁部（左側のグランド用接触部１２ａにおいては左縁部、右側のグランド用接触部１２ａにおいては右側縁部）を上方に延ばした線上とほぼ同じ位置或いはその位置より僅かに外方（左側の突出部４１は左方、右側の突出部４１は右方）の位置にそれぞれ形成される。即ち、カード１０が挿入され、各接触部１２が各突出部４１の真下に来た状態で、各信号用接触部１２ｃからカバー２２までの最短距離Ｂ１より各突出部４１からグランド用接触部１２ａまでの最短距離Ｂ２が短くなるように形成されている。
【００２３】
第３の静電気対策手段５０は図１、図９に示すように、カバー２２の前縁部を方形状に切り欠いて形成される。この切欠部５１の左右両縁部５１ａ、５１ａ（図９中、上下両側の縁部）は、挿入開始状態にあるカード１０の左右両端側（図９中、上下両端側）に位置する各グランド用接触部１２ａの外側縁部（左側のグランド用接触部１２ａにおいては左縁部、右側のグランド用接触部１２ａにおいては右側縁部）を延長した線上とほぼ同じ位置或いは僅かに外方（左側縁部５１ａは左方、右側縁部５１ａは右方）の位置にあり、挿入開始状態にある各信号用接触部１２ｃからカバー２２の前縁部までの最短距離Ｃ１が各グランド用接触部１２ａからカバー２２の前縁部までの最短距離Ｃ２より長くなるように形成されている。なお、カード１０の挿入が開始される挿入開始状態では、カード１０は、本実施形態のカード用コネクタ装置が組み込まれる筐体に設けられた挿入口２７の開口縁部にガイドされ、上記信号用接触部１２ｃからカバー２２の前縁部までの最短距離Ｃ１とグランド用接触部１２ａからカバー２２の前縁部までの最短距離Ｃ２との関係が維持される。
【００２４】
次に、本実施形態の作用について説明する。静電気に帯電したカード１０或いは静電気に帯電した操作者がカード１０を挿入する場合、カード１０をカード挿入口２１ａに近づけていくと、カード１０の各信号用接触部１２ｃからカバー２２までの最短距離Ｃ１が各グランド用接触部１２ａからカバー２２までの最短距離Ｃ２より長いため、静電気は信号用接触部１２ｃからカバー２２に放電されることはなく、グランド用接触部１２ａからカバー２２に放電される（図９参照）。
【００２５】
続いて、カード１０をカード挿入口２１ａに挿入して奥方へ運び入れると各突出部４１がカード１０の上面に接触する。ここで、各グランド用接触部１２ａから突出部４１までの最短距離Ｂ２が各信号用接触部１２ｃからカバー２２までの最短距離Ｂ１より短いため、上記において放電されなかった静電気はグランド用接触部１２ａから突出部４１に放電される（図６参照）。
【００２６】
さらに、カード１０を奥方へ運び込み、挿着位置に装着する（図８参照）。ここで、カバー２２の上面が膨出し、挿入途中において各信号用接触部１２ｃからカバー２２までの最短距離Ａ１が各グランド用接触部１２ａからカバー２２までの最短距離Ａ２より長くなっているため、上記において放電されなかった静電気は、信号用接触部１２ｃからカバー２２に放電されることはなく、グランド用接触部１２ａからカバー２２に放電される（図５参照）。
【００２７】
このように上記実施形態では、カバー２２の前縁部に切欠部５１を形成し、カード挿入開始時にカード１０に帯電した静電気が常にグランド用接触部１２ａからカバー２２に放電されるようにしたので、静電気の放電でカード１０内の回路の信号ラインに高電圧が発生してカード１０内のＩＣ、或いは記憶データ等が破壊されてしまうことを防止できる。
【００２８】
また、カード１０の挿入途中において、各突出部４１がカード１０の上面に接触してカード１０に帯電した静電気が各突出部４１に放電されるようにしたので、挿入途中において静電気の放電でカード１０内の回路の信号ラインに高電圧が発生することはなく、カード１０内のＩＣ或いは記憶データ等の破壊を防止できる。
【００２９】
さらに、カバー２２の上面部を膨出させてカード１０に帯電した静電がグランド用接触部１２ａからカバー２２に放電されるようにしたので、カード１０が挿着位置に至る間、静電気が信号用接触部１２ｃからカバー２２に放電されることはなく、カード１０内の信号ラインに高電圧が発生してＩＣ或いは記憶データ等が破壊されてしまうことを防止できる。
【００３０】
＜第２実施形態＞
第１実施形態と同一構成については、同一符号を付して詳細な説明は省略する。図１１、図１２に示すように第２実施形態のカバー２２には、静電気対策手段６０として、左右両端部に内方へ突出する突条部６１、６１が対向して形成されている。かかる各突条部６１は、挿入されるカード１０の上面と接触するように突出形成されるとともに各突条部６１の内側縁部（図１２中、右側の突条部６１においては右側縁部、左側の突条部６１においては左側縁部）６１ａ、６１ｂが挿入途中にあるカード１０の各グランド用接触部１２ａの外側縁部（左側のグランド用接触部１２ａにおいては左縁部、右側のグランド用接触部１２ａにおいては右側縁部）を上方に延長した線上とほぼ同位置或いは僅かに外方の位置にあり、挿入途中にある各信号用接触部１２ｃからカバー２２までの最短距離Ｄ１が各グランド用接触部１２ａから各突条部６１までの最短距離Ｄ２より長くなるように形成されている。
【００３１】
また、各突条部６１は、少なくともカード１０を挿入しグランド用接触部１２ａがグランド用端子２３ａと接触し始める位置まで、信号用接触部１２ｃからカバー２２までの最短距離Ｄ１がグランド用接触部１２ａからカバー２２までの最短距離Ｄ２より長くなるように奥方へ延びている。
【００３２】
これによって、挿入途中にある各信号用接触部１２ｃからカバー２２までの最短距離Ｄ１が各グランド用接触部１２ａから各突条部６１までの最短距離Ｄ２より長くなっているため、挿入途中において、カード１０に帯電した静電気は信号用接触部１２ｃからカバー２２に放電されることはなく、常にグランド用接触部１２ａからカバー２２に放電される。従って、カード１０の挿入途中において、静電気の放電でカード１０内の回路の信号ラインに高電圧が発生してカード１０内のＩＣや記憶データ等が破壊されることを防止できる。
【００３３】
なお、本発明は上記実施形態に限定されるものではなく、例えば次のように変して実施することができ、これらの実施形態も本発明の技術的範囲に属する。  （１）  上記第１実施形態では、第１の静電気対策手段３０をカバー２２の上面部中央領域を膨出させることにより構成したが、その領域を切り欠いて開口させるようにしてもよい。
【００３４】
（２）  上記第１実施形態では、膨出部３１は、カード１０のグランド用接触部１２ａがグランド用端子２３ａと接触し始める位置まで、信号用接触部１２ｃからカバー２２までの最短距離Ａ１がグランド用接触部１２ａからカバー２２までの最短距離Ａ２より長くなるように奥方に延びていたが、それよりさらに奥方へ延びていてもよいし、手前側（カード挿入口側）に短くてもよい。
【００３５】
（３）  上記第１実施形態では、カバー２２に第１の静電気対策手段３０と第２の静電気対策手段４０と第３の静電気対策手段５０が設けられていたが、第１、第２、第３の静電気対策手段のうち少なくとも１つが設けられていればよい。その他、本発明は要旨を逸脱しない範囲内で種々変更して実施することができる。
【図面の簡単な説明】
【図１】  第１実施形態のカード用コネクタ装置全体を示す上面図である。
【図２】  同実施形態のカード用コネクタ装置全体を示す正面図である。
【図３】  同実施形態のカバーを取った状態を示す上面図である。
【図４】  同実施形態のカード用コネクタ装置全体を示す側面図である。
【図５】同実施形態の図１中、５−５線での断面図である。
【図６】同実施形態の図１中、６−６線での断面図である。
【図７】同実施形態の図１中、７−７線での断面図である。
【図８】同実施形態のカード装着状態を示す側断面図である。
【図９】同実施形態の切欠部（第３の静電気対策手段）を示す上面図である。
【図１０】同実施形態の膨出部（第１の静電気対策手段）を示すカバーの裏面図である。
【図１１】第２実施形態のカバーを示す上面図である。
【図１２】同実施形態の図１１中、１２−１２線での断面図である。
【図１３】従来例を示す断面図である。
【符号の説明】
１０  カード
１２  接触部
１２ａ  グランド用接触部
１２ｃ  信号用接触部
２１  カード挿入部
２２  カバー
２３  端子
２３ａ  グランド用端子
２３ｃ  信号用端子
３０  第１の静電気対策手段
３１  膨出部
４０  第２の静電気対策手段
４１  突出部
５０  第３の静電気対策手段
５１  切欠部
６０  静電気対策手段
６１  突条部
【図１】
0003998472.tif 000002
【図２】
0003998472.tif 000003
【図３】
0003998472.tif 000004
【図４】
0003998472.tif 000005
【図５】
0003998472.tif 000006
【図６】
0003998472.tif 000007
【図７】
0003998472.tif 000008
【図８】
0003998472.tif 000009
【図９】
0003998472.tif 000010
【図１０】
0003998472.tif 000011
【図１１】
0003998472.tif 000012
【図１２】
0003998472.tif 000013
【図１３】
0003998472.tif 000014